(57)【要約】      （修正有）【課題】真空断熱材を簡単に交換でき、よって冷却性能に優れた真空断熱材に容易に更新し得る冷蔵庫を提供する。【解決手段】筺体３の側壁部３ａに、凹部を形成し、この凹部内に真空断熱材１５を挿入し、この真空断熱材１５が凹部内から出ないように凹部を庫内パネル１７で閉塞する。庫内パネル１７は、ねじ１９により前記側壁部３ａに固定的に取り付けられる。【選択図】図１
2014029259.tif 000002
【特許請求の範囲】
【請求項１】
真空断熱材を断熱に用いた冷蔵庫であって、
前記真空断熱材を使用する部分の面に当該断熱材を収容可能な大きさで形成される凹部と、
この凹部内に収容した前記真空断熱材を凹部内に閉塞する閉塞板と
を有することを特徴とする冷蔵庫。
【請求項２】
前記閉塞板は、ねじまたはフックにより前記面に固定的に取り付けられることを特徴とする請求項１記載の冷蔵庫。
【請求項３】
前記凹部は、冷蔵庫内側の側壁部、冷蔵庫内側の背壁部、冷蔵庫外側の側壁部、または冷蔵室内に設けられる隔壁部、あるいは冷蔵庫もしくは冷凍庫の扉部であることを特徴とする請求項１または２記載の冷蔵庫。
【請求項４】
前記冷蔵庫の背面部には、板状の前記真空断熱材が収容される前記凹部が形成され、前記閉塞板は締結部品により固定されていることを特徴とする請求項１記載の冷蔵庫。
【請求項５】
前記冷蔵庫の背面部には、板状の前記真空断熱材が収容される前記凹部が形成され、前記閉塞板には、補強用の凹凸形状部分が設けられ、前記閉塞板は締結部品により固定されていることを特徴とする請求項１記載の冷蔵庫。
【請求項６】
前記閉塞板には、締結部品を固定する凹形状部分が設けられていることを特徴とする請求項４または５記載の冷蔵庫。
【請求項７】
前記真空断熱材は、芯材と、前記芯材を覆う被覆材とを有し、前記真空断熱材には、前記閉塞板の前記凹形状部分の内側の凸部分を収容する貫通穴が形成されており、
前記真空断熱材の前記貫通穴の内壁部分は、前記被覆材を溶着して形成される溶着部により覆われており、前記締結部品を、前記閉塞板の前記凹形状部分と前記真空断熱材の前記貫通穴に通すことで、前記閉塞板は前記真空断熱材を前記背面部側に固定していることを特徴とする請求項６記載の冷蔵庫。
【請求項８】
前記冷蔵庫の圧縮機格納室を断熱するための前記真空断熱材が配置され、前記真空断熱材は前記閉塞板により閉塞されていることを特徴とする請求項１記載の冷蔵庫。
【請求項９】
前記圧縮機格納室の上部には、板状の前記真空断熱材が収容される前記凹部がされており、前記凹部は袋状であり、前記凹部の開口部に前記閉塞板が配置されていることを特徴とする請求項８記載の冷蔵庫。
【請求項１０】
前記圧縮機格納室の上部には、屈曲して形成された前記真空断熱材が収容される前記凹部がされており、前記凹部の開口部に前記閉塞板が配置されていることを特徴とする請求項８記載の冷蔵庫。
【請求項１１】
前記真空断熱材がはまり込む前記凹部の開口部に前記閉塞板を配置して、前記閉塞板は締結部品により固定されることを特徴とする請求項８ないし１０のいずれかに記載の冷蔵庫。
【請求項１２】
真空断熱材を断熱に用いた冷蔵庫であって、
凹凸状の前記真空断熱材を使用する圧縮機格納室の周囲に前記真空断熱材を収容可能な大きさで形成される凹部と、
この凹部内に収容した凹凸状の前記真空断熱材を凹部内に閉塞する閉塞板と
を有することを特徴とする冷蔵庫。
【発明の詳細な説明】
【技術分野】
【０００１】
本発明の実施形態は、真空断熱材を使用して断熱性能を向上した冷蔵庫に関する。
【背景技術】
【０００２】
冷蔵庫は、全体が箱形で前部が解放される外箱と内箱とを重ねて構成すると共に、外箱の内側に真空断熱材を貼り付け、この真空断熱材を貼り付けられた外箱と内箱との間に発泡断熱材である発泡ウレタンを充填して断熱壁を形成し、これにより断熱性能を向上している。
【０００３】
しかしながら、このように外箱の内側の真空断熱材を貼り付け、この真空断熱材を貼り付けられた外箱と内箱の間に発泡ウレタンを充填する従来の作業は、比較的簡単ではない上に、発泡ウレタンを充填するための大掛かりな設備が必要であり、非経済的であるため、より簡単な方法で断熱性能を向上しうる方法が模索されていた。
【０００４】
冷蔵庫は、断熱性能を向上するために、側壁、後壁、上面壁を含む外壁部および扉等の内部に真空断熱材を設けるとともに、この真空断熱材を設けた隙間に硬質ウレタンフォーム等からなる発泡断熱材を充填している。真空断熱材は、グラスウールなどからなる芯材の上に、例えばポリエチレンなどの合成樹脂フィルムなどからなる内袋体を被せて、芯材を包んでから、内袋体の外側にアルミフィルムを被服などして構成されている。
【０００５】
このように構成される真空断熱材は、外側が薄いフィルムで覆われて構成されることもあり、その場合には、表面などが傷つくことが否定できない。また、冷蔵庫としての寿命が比較的長いことから経年変化に伴う真空断熱材の劣化も指摘されることもある
一方では、真空断熱材の技術革新は目覚ましいものがあり、日進月歩で断熱性能等に優れた製品が市場に提供されるに至っている。
【０００６】
このように真空断熱材の断熱性能が向上した場合には、この向上した真空断熱材を古い真空断熱材と交換することにより、冷蔵庫の冷却性能の向上を図ることが可能である。しかしながら、上述したように、真空断熱材と冷蔵庫本体の筐体との間隙には発泡断熱材が充填されていることから、真空断熱材は発泡断熱材によって前記筐体に固着されているため、実際には真空断熱材を交換することができないという課題もある。
【０００７】
更に、真空断熱材と筐体との間隙に発泡断熱材が充填されていない場合であっても、真空断熱材が配置されている外壁部や扉などの部分は、外壁部や扉などを簡単に分解して内部の真空断熱材を取り出すことができるような構成とはなっておらず、真空断熱材を簡単に交換することができない。
【先行技術文献】
【特許文献】
【０００８】
【特許文献１】特開２０１１−５８６５７号公報
【発明の概要】
【発明が解決しようとする課題】
【０００９】
本発明は、上記に鑑みてなされたもので、その目的とするところは、真空断熱材を簡単に交換でき、冷却性能の更新を計ることのできる冷蔵庫を提供することにある。
【課題を解決するための手段】
【００１０】
実施形態の冷蔵庫は、真空断熱材を断熱に用いた冷蔵庫であって、前記真空断熱材を使用する部分の面に当該断熱材を収容可能な大きさで形成される凹部と、この凹部内に収容した前記真空断熱材を凹部内に閉塞する閉塞板とを有する。
【図面の簡単な説明】
【００１１】
【図１】本発明の一実施形態に係わる冷蔵庫の部分内部構造を前扉が取り除かれ、一方の側壁部が取り出された状態で示す斜視図である。
【図２】図１に示す冷蔵庫において庫内パネルが左側壁部に取り付けられた状態を示す斜視図である。
【図３】図２において矢印Ａ−Ａで示す方向に冷蔵庫を切断して示す冷蔵庫の上部の冷蔵室の断面図である。
【図４】図３に示した冷蔵室５の左側の側壁部の拡大断面図である。
【図５】図３に示した冷蔵室５の左側の側壁部の図４と同様な拡大断面図である
【図６】本発明の他の実施形態に係わる冷蔵庫を右側の外壁部の一部が分解され取り出された状態で示す斜視図である。
【図７】図６において矢印Ｂ−Ｂで示す方向に冷蔵庫を切断して示す冷蔵庫の下部の冷凍室の断面図である。
【図８】図７に示した冷凍室の側壁部の部分拡大断面図である。
【図９】本発明の別の実施形態に係わる冷蔵庫を上部冷凍室が引き出された状態で示す斜視図である。
【図１０】図９に示した冷蔵庫の横断面を示す断面図である。
【図１１】図９に示す冷蔵庫を冷蔵室の前扉、製氷室、上部冷凍室が除去されるとともに、冷蔵室と上部冷凍室との間の底板、真空断熱材、閉塞板が取り出された状態で示す斜視図である。
【図１２】図９に示した冷蔵庫の冷蔵室と上部冷凍室との間の構造を示す断面図である。
【図１３】本発明の別の実施形態の冷蔵庫を示す斜視図である。
【図１４】図１３に示す冷蔵庫の背面部側を示す斜視図である。
【図１５】図１４の冷蔵庫の背面部から、閉塞板と真空断熱材を外した状態を示す斜視図である。
【図１６】本発明のさらに別の実施形態の冷蔵庫の背面部を示す斜視図である。
【図１７】本発明のさらに別の実施形態の冷蔵庫の背面部を示す斜視図である。
【図１８】図１５において矢印Ｃ−Ｃで示す方向に冷蔵庫を切断して示す縦断面図である。
【図１９】図１８に示す真空断熱材の形状を示す斜視図である。
【図２０】本発明のさらに別の実施形態の冷蔵庫を切断して示す縦断面図である。
【図２１】図２０に示す真空断熱材の形状を示す斜視図である。
【図２２】本発明の別の実施形態の冷蔵庫を示す斜視図である。
【図２３】図２２に示す冷蔵庫の背面部側を示す斜視図である。
【図２４】図２３の冷蔵庫の背面部の下部から、後ろ板を外した状態を示す斜視図である。
【図２５】図２３の圧縮機格納室から、圧縮機台を外した状態を示す斜視図である。
【図２６】図２５の冷蔵庫の背面部から、真空断熱材と、閉鎖板が取り外された状態を示す斜視図である。
【図２７】図２６に示す冷蔵庫におけるＤ−Ｄ線における縦断面図である。
【図２８】本発明のさらに別の実施形態の冷蔵庫を示し、側壁部から閉塞板が取り外された状態を示す斜視図である。
【図２９】図２８に示す冷蔵庫の背面部側を示し、閉塞板と２枚の真空断熱材が取り外された状態を示す斜視図である。
【図３０】図２９の冷蔵庫におけるＥ−Ｅ線での縦断面を示す図である。
【図３１】本発明のさらに別の実施形態を示している。
【発明を実施するための形態】
【００１２】
以下、図面を用いて、本発明を実施するための形態(以下、実施形態と称する)を説明する。
【００１３】
図１は、本発明の一実施形態に係わる冷蔵庫の構造を前扉が取り除かれ、左側の側壁部の一部が取り出された状態で示す斜視図である。図１に示す冷蔵庫１は、全体が箱型で前部が開放した外箱と内箱を重ねた間に断熱材を挟んで形成される筺体３で構成され、この箱型の筺体３の開放した前部に扉が開閉自在に取り付けられているものであるが、冷蔵物を収納して冷蔵すべく最上部に位置する冷蔵室５の前面側の例えば両開き扉や片開き扉などの扉は図示を省略されている。
【００１４】
なお、この最上部の冷蔵室５の直下には製氷室７および冷蔵から冷凍までの任意の冷却状態に可変し得る切替室とも称する上部冷凍室９が横に並んで設けられ、これら製氷室７と上部冷凍室９の直下の最下部には冷凍室１１が設けられている。また、製氷室７および上部冷凍室９は、それぞれ引出し式扉７ａおよび９ａで前面側が覆われ、また冷凍室１１も引出し式扉１１ａで前面側が覆われ、これらの引出し式扉７ａ、９ａおよび１１ａをそれぞれを前方に引き出すことにより、製氷室７、上部冷凍室９および冷凍室１１が外部に取り出されるようになっている。
【００１５】
上述したように、前部が開放した筺体３の左側の側壁部３ａは、筺体３の内箱を構成する内板が切り取られ（なお、内板は図示せず）、筺体３の外箱を構成する外板１３の内側が露出して見えている。この露出している外板１３の内側部分には、取り除かれた内板の分だけ、空所、すなわち凹部が形成され、この凹部に図１で手前に分解して図示する真空断熱材１５が配設されるようになっている。
【００１６】
このような構成により、発泡ポリウレタン等の断熱材を充填する場合には、真空断熱材１５が発泡ポリウレタンの流入を遮らないことから発泡ポリウレタンの流動性が向上し、隙間無く発泡ポリウレタンを充填することができる。
【００１７】
真空断熱材１５が上述したように外板１３の内側の凹部に配設された後は、この真空断熱材１５の内側から蓋または閉塞板を構成する庫内パネル１７が固定ねじ１９により側壁部３ａの内箱または外板１３にねじ止めされ、真空断熱材１５を外板１３と庫内パネル１７との間に固定的に配設している。これにより、真空断熱材１５は、前記凹部から落ちたり、ずれたり、簡単に取り除かれたり、出ないようにしている。なお、図２は、このように庫内パネル１７が真空断熱材１５を挟んで側壁部３ａの内箱または外板１３に取り付けられた状態を示す図である。また、庫内パネル１７は、図から分かるように、冷蔵室５内に設けられる複数の棚の両端を保持するための棚受けが複数設けられている。
【００１８】
図３は、図２において矢印Ａ−Ａで示す方向に冷蔵庫１を切断して示す冷蔵庫１の上部の冷蔵室５の断面図である。図３に示すように、前記真空断熱材１５は、冷蔵庫１の左側の側壁部３ａのみでなく、右側の側壁部３ｂにも同様な構造で設けられている。また、この真空断熱材１５は、図３から分かるように、内箱を構成する内板を取り除いて形成される凹部内に配設されているが、真空断熱材１５は、この凹部内の外板１３の内側に隙間なく、密接して配設されているのでなく、真空断熱材１５と外板１３との間に隙間２１が形成されている。そして、この隙間２１には、図示しないが硬質ウレタンフォームである発泡断熱材が配設されるものであるが、この発泡断熱材は、真空断熱材１５に固定的に付着されるものでなく、真空断熱材１５は、容易に発泡断熱材から離れ得るようになっている。なお、前記隙間２１に配設される断熱材は、ウレタンに限られるものではなく、スチロール等の他の断熱材でも良いものである。
【００１９】
すなわち、発泡断熱材は、当該発泡断熱材を収納している容器から発泡断熱材の発泡性を利用して、直接、真空断熱材１５と外板１３との間の隙間に充填されるのでなく、例えば隙間の形に予め形成された容器などに充填収納されてから、前記隙間に配設されるなどで設けられるものである。
【００２０】
図４は、図３に示した冷蔵室５の左側の側壁部３ａの拡大断面図である。この図４から、真空断熱材１５の内側に配設されている庫内パネル１７は、その上下端部が固定ねじ１９により側壁部３ａの上下に固定的に取り付けられていることが分かる。
【００２１】
図５は、図４と同様に、図３に示した冷蔵室５の左側の側壁部３ａの拡大断面図であるが、この図４では、前記庫内パネル１７は、図４のように固定ねじ１９により側壁部３ａに固定的に取り付けられるのでなく、固定ねじ１９の代わりに固定フック２３を用いて、庫内パネル１７を側壁部３ａに固定的に取り付けているものである。
【００２２】
すなわち、庫内パネル１７の上下端部の外側面、すなわち外板１３に向かう外側面には、外側を向いて突出した先端が下方に折曲している鉤型部を有する固定フック２３が取り付けられ、この固定フック２３の鉤型部が側壁部３ａの対応する箇所に形成されたスリット状の凹部などに引っ掛けられることで、庫内パネル１７が側壁部３ａに固定的に取り付けられている。
【００２３】
上述したように構成される本実施形態の冷蔵庫１においては、側壁部３ａ、３ｂに真空断熱材１５が配設されているが、この真空断熱材１５は、側壁部３ａ、３ｂの内板を取り除いた凹部に配設されるとともに、この真空断熱材１５の内側に庫内パネル１７を固定ねじ１９または固定フック２３により固定的に取り付けて、真空断熱材１５が落ちたり、抜け出たり、露出しないようにし、これにより冷蔵庫１の冷蔵室５の側方の側壁部３ａ、３ｂの断熱性能を向上しているものであり、簡単に組み立てることができる。
【００２４】
従って、真空断熱材１５が、例えば機能が向上した新製品が開発された場合や、破損したような場合には、固定ねじ１９または固定フック２３を取り外し、庫内パネル１７を取り除いて、既に収容されている真空断熱材１５を取り出し、その代わりに新しい真空断熱材を配設するなどの交換を簡単かつ短時間で効率的に行うことができる。これにより、例えば冷蔵庫を買い替えるなどしなくても、冷蔵庫１の冷却性能を維持することができるとともに、また断熱性能の向上した改良型の新しい真空断熱材が開発されたような場合には、今使用している真空断熱材１５を上述したように取り出し、その代わりに改良型の新しい真空断熱材を入れて、冷蔵庫１の冷却性能を今まで以上に向上することができる。
【００２５】
なお、本実施形態では、冷蔵庫１の左右の側壁部３ａの上部の内板を切り取って、凹部を形成し、この凹部に真空断熱材１５を配設し、庫内パネル１７で閉塞しているが、同様な構造は、冷蔵庫１の上部の背面側、すなわち冷蔵室５の裏側の背壁部などに設けてもよいものである。
【００２６】
図６は、本発明の他の実施形態に係わる冷蔵庫を右側壁部の下部の一部が分解され取り出されて示す斜視図である。図６に示す冷蔵庫１０は、図１に示した冷蔵庫１において冷蔵室５の前面開放部に両開き扉５ａ、５ｂが取り付けられるとともに、筺体３の外箱を構成する外板３１のうちの、側壁部３ｂの下部、すなわち上部冷凍室９および冷凍室１１の側方に位置する側壁部３ｂの下部を構成する外板３１が部分的に切り取られて、ここに凹部２５が形成されるとともに、この凹部２５内に真空断熱材２７を配設し、この真空断熱材２７の上から蓋または閉塞板である外壁パネル２９を固定的に取り付けて、凹部２５を閉塞し、凹部２５内に真空断熱材２７を設けるようにした点が大きく異なるものであり、その他の構成は、図１と同じであり、同じ構成要素には、同じ符号を付し、その説明を省略する。
【００２７】
すなわち、図６に示す冷蔵庫１０では、側壁部３ｂを構成する外板３１の下部を部分的に切り取って、凹部２５を形成し、この凹部２５内に真空断熱材２７を配設し、この真空断熱材２７を配設した凹部２５に対して外側から外壁パネル２９を固定的に取り付けて、凹部２５を閉塞して、凹部２５内の真空断熱材２７が凹部２５から抜け出たり、落ちたり、露出しないようにし、これにより冷蔵庫１０の側壁部３ｂの下部の断熱性能を向上しているものである。
【００２８】
図７は、図６において矢印Ｂ−Ｂで示す方向に冷蔵庫１０を切断して示す冷蔵庫１０の下部の冷凍室１１の断面図である。図７に示すように、冷蔵庫１０の下部の側壁部３ｂを構成する外板３１を部分的に切り取って、凹部２５を形成し、この凹部２５内に真空断熱材２７を配設し、外壁パネル２９で閉塞した構造は、冷蔵庫１０の右側の側壁部３ｂのみでなく、冷蔵庫１０の左側の側壁部３ａにも同様な構造で形成されていることが分かる。なお、この左側の側壁部３ａに設けられている凹部２５、真空断熱材２７および外壁パネル２９に対しても同様な符号を付している。
【００２９】
なお、真空断熱材２７を配設された凹部２５を閉塞するように外壁パネル２９を固定的に取り付ける方法は、図８に示すように、固定ねじ３３を使用して、外壁パネル２９の端部を外板３１に取り付けるなどで行うことができるが、これに限定されるものではない。なお、本実施形態では、冷蔵庫１０の下部の左右の側壁部３ａ、３ｂに対して、凹部２５を形成し、真空断熱材２７を設け、外壁パネル２９で閉塞しているが、同様な構造は、冷蔵庫１０の下部の背面側、すなわち冷凍室１１の裏側の背壁部に設けてもよいものである。
【００３０】
上述したように構成される本実施形態の冷蔵庫１０においては、側壁部３ａ、３ｂの下部に真空断熱材２７が配設されているが、この真空断熱材２７は、側壁部３ａ、３ｂの下部の外板３１を取り除いた凹部２５に配設されるとともに、この真空断熱材２７の外側に外壁パネル２９を固定的に取り付けて、真空断熱材２７が落ちたり、抜け出たり、露出しないようにし、これにより冷蔵庫１０の冷凍室１１の側方の側壁部３ａ、３ｂの断熱性能を向上しているものであり、簡単に組み立てることができる。
【００３１】
従って、真空断熱材２７が劣化したり、破損したような場合には、外壁パネル２９を取り外して、劣化したり破損した真空断熱材２７を取り出し、その代わりに新しい真空断熱材を配設するなどの交換を簡単かつ短時間で効率的に行うことができ、例えば冷蔵庫を買い替えるなどしなくても、冷蔵庫１の冷却性能を維持することができるとともに、また断熱性能の向上した改良型の新しい真空断熱材が開発されたような場合には、今使用している真空断熱材２７を取り出し、その代わりに改良型の新しい真空断熱材を入れて、冷蔵庫１０の冷却性能を今まで以上に向上することができる。
【００３２】
図９は、本発明の別の実施形態に係わる冷蔵庫を上部冷凍室９が引き出された状態で示す斜視図である。図９に示す冷蔵庫１１１は、後述するように、上部冷凍室９と冷蔵室５との間に真空断熱材を設けているものであるが、これは、例えば電子レンジなどで加熱した比較的熱い高温収納物を急速冷凍するために上部冷凍室９内に収納した場合に、この高温収納物の温度の影響が上方の冷蔵室５内の収納物に対して及ばないようにするために真空断熱材を上部冷凍室９と冷蔵室５との間に設けているものである。
【００３３】
図１０は、図９に示す冷蔵庫１１１の横断面図である。図１０に示すように、本実施形態の冷蔵庫１１１は、冷蔵室５の底板４１と上部冷凍室９の上板である閉塞板４５との間の空所である凹部に真空断熱材４３が設けられている。この真空断熱材４３は、例えば劣化や破損などした場合に、後述するように、容易に取り出して、新しい真空断熱材と交換できるように下側の閉塞板４５が例えばねじ止めなどにより取り外し可能に取り付けられている。なお、閉塞板４５は、閉塞板を構成しているものである。
【００３４】
すなわち、冷蔵室５と上部冷凍室９との間に設けた真空断熱材４３を交換したい場合には、引き出し式の上部冷凍室９を手前に引き出して取り出し、この上部冷凍室９を引き出した前面開口部から閉塞板４５の下方に作業者が手を伸ばし、例えばねじまわしなどで閉塞板４５を固定しているねじを外して、閉塞板４５を取り出し、この取り出した閉塞板４５の開口部から真空断熱材４３を取り出すことができるものである。
【００３５】
図１１は、図９に示す冷蔵庫１１１を上述した底板４１、真空断熱材４３および閉塞板４５が取り出され分解された状態で示す斜視図である。図１１に示すように、真空断熱材４３は、冷蔵室５の底板４１と上部冷凍室９の上板である閉塞板４５との間に挟まれるように設けられている。真空断熱材４３は、上部冷凍室９の部分のみを覆うように閉塞板４５のほぼ半分程度の大きさである。なお、図１１では、底板４１は、外部に引き出されているが、冷蔵室５の底部には、２点鎖線で示すように、底板４１が図示されている。
【００３６】
図１２は、図９に示す冷蔵庫１１１の前記閉塞板４５の取り付け状態を詳細に示す部分拡大断面図である。図１２に示すように、前記真空断熱材４３は、冷蔵室５の底板４１と上部冷凍室９の閉塞板４５との間の凹部に設けられているが、この場合において、真空断熱材４３が収納される部分の奥側に位置する冷蔵庫１１１の背面側の内板の一部は、手前の内側の方に向かって直角に折曲されて、引掛け受部４７が形成され、この引掛け受部４７に閉塞板４５の奥側の先端が載置されて受け止められるとともに、閉塞板４５の他端、すなわち閉塞板４５の、上部冷凍室９の前面開口部側の他端は、上部冷凍室９と冷蔵室５との間の隔壁部の下側に真っすぐ伸び、この伸びた部分にねじ４９が螺合し、当該閉塞板４５の他端を固定し、これにより閉塞板４５を全体的に固定している。
【００３７】
従って、真空断熱材４３を交換したい場合には、上部冷凍室９を前面側から取り出し、この取り出した前面開口部から作業者が手を入れて、閉塞板４５の他端を止めているねじ４９をねじまわしで取り外せば、閉塞板４５を前面開口部から手前に取り出すことができるので、このように閉塞板４５を取り出した後、真空断熱材４３を同様に外部に取り出すことが可能である。なお、前面開口部側の上にあるねじ４９は、この前面開口部の手前下方から長いねじまわしを利用して、取り外すことができるが、また当該ねじ４９を前面開口部側にねじ頭が傾くように斜めに取り付けることも可能であり、このようにねじ４９を斜めに取り付けることにより、当該ねじ４９を取り外し易くなる。
【００３８】
なお、閉塞板４５の取り付け方法は、上記方法に限るものでなく、種々の方法が考えられるが、要は、真空断熱材４３が凹部などに収納され、全体的に囲まれて、外部などから傷などを付けられないように保護されるとともに、真空断熱材４３の交換を容易にするために、比較的簡単に取り出し可能であればよいものである。
【００３９】
更に、図１２においては、上部冷凍室９内に高温収納物５１が収納され、冷蔵室５内に冷蔵室収納物５３が収納されることが図示されているが、高温収納物５１を急速冷凍するために、上部冷凍室９内に収納しても、この高温収納物５１の熱は、真空断熱材４３で遮断されて、冷蔵室５内にほとんど伝達されないため、冷蔵室５内の冷蔵室収納物５３が上部冷凍室９内の高温収納物５１の熱の影響を受け難いようになっている。
【００４０】
また、さらに冷蔵室５、上部冷凍室９および冷凍室１１の扉に適用する場合でも同様である。
【００４１】
図１３は、本発明の別の実施形態の冷蔵庫を示す斜視図である。図１３に示す冷蔵庫１Ａでは、冷蔵室５に前扉５Ａ、５Ｂが設けられている。図１３に示す冷蔵庫１Ａは、全体が箱型で前部が開放した外箱と内箱を重ねた間に断熱材を挟んで形成される筺体３で構成されている。
【００４２】
なお、この最上部の冷蔵室５の直下には、製氷室７および上部冷凍室９が横に並んで設けられ、これら製氷室７と上部冷凍室９の直下の最下部には、冷凍室１１が設けられている。また、製氷室７および上部冷凍室９は、それぞれ引出し式扉７ａおよび９ａで前面側が覆われ、また冷凍室１１も引出し式扉１１ａで前面側が覆われている。これらの引出し式扉７ａ、９ａおよび１１ａをそれぞれ前方に引き出すことにより、製氷室７、上部冷凍室９および冷凍室１１が外部に取り出されるようになっている。
【００４３】
図１４は、図１３に示す冷蔵庫１Ａの背面部１００側を示す斜視図である。図１５は、図１４の冷蔵庫１Ａの背面部１００から、閉塞板１０１と真空断熱材１０２を外した状態を示す斜視図である。
【００４４】
図１５に示すように、真空断熱材１０２は、長方形状の板部材であり、背面部１００側を断熱するための部材である。冷蔵庫１Ａの背面部１００には、凹部１０３が設けられている。この凹部１０３は、縦方向に長い長方形状を有しており、凹部１０３内には真空断熱材１０２がはめ込むことで収容される。
【００４５】
図１５に示す閉塞板１０１は、真空断熱材１０２を覆うための蓋部材である。閉塞板１０１は、例えば金属製の長方形状の板部材であり、閉塞板１０１の縦横サイズは真空断熱材１０２の縦横サイズよりも大きい。
【００４６】
閉塞板１０１の隅部の複数箇所には、穴部１０４が設けられている。背面部１００には、凹部１０３の周囲の複数箇所にはナット部１０６が設けられている。これにより、締結部品としての固定ねじ１０５は、これらの穴部１０４に通して、ナット部１０６にねじ込むことで、閉塞板１０１は、真空断熱材１０２を、背面部１００の凹部１０３内にはめ込んだ状態で押圧して固定することができる。しかも、閉塞板１０１の縦横サイズは真空断熱材１０２の縦横サイズよりも大きいので、真空断熱材１０２には固定ねじ１０５を通すための穴を設ける必要がない。
【００４７】
この真空断熱材１０２は、例えばグラスウールの板状の芯材をラミネートフィルムのような被覆材で包んで、この内部を真空の多孔質構造に形成することで、高い真空空間率（例えば９０％を超える）を保持している。このため、この真空断熱材１０２は、真空による高い断熱性能を発揮することができる。真空断熱材１０２の断熱性能は、発泡ポリウレタン材の断熱性能に比べてかなり高いので、厚みの薄い真空断熱材１０２を用いても冷蔵庫１Ａの背面部１００の断熱性能を確保することができる。
【００４８】
図１５に示す実施形態では、真空断熱材１０２は背面部１００において交換が容易に行える。そして、真空断熱材１０２は背面部１００の凹部１０３内にはめ込んで固定でき、真空断熱材１０２に対する外部からの直接衝撃の印加を防止できる。
【００４９】
図１６は、本発明のさらに別の実施形態の冷蔵庫１Ｂの背面部を示す斜視図である。
【００５０】
図１６に示す冷蔵庫１Ｂの背面部１１０の構造は、図１５に示す冷蔵庫１Ａの背面部１００の構造と実質的には、ほぼ同じであるので、対応する箇所には同じ符号を記してその説明を省略する。
【００５１】
図１６に示す冷蔵庫１Ｂの背面部１１０の構造が、図１５に示す冷蔵庫１Ａの背面部１００の構造とは異なるのは、閉塞板１１１の構造である。閉塞板１１１には、複数本の補強用の凹凸形状部分１１８が、冷蔵庫の縦方向に沿ってしかも間隔を空けて平行になるように設けられている。
【００５２】
複数本の補強用の凹凸形状部分１１８が、閉塞板１１１の長手方向に沿って形成されていることで、平板状の閉塞板１１１の強度の補強を図っている。閉塞板１０１の隅部の複数箇所には、穴部１０４が設けられている。これにより、閉塞板１１１を真空断熱板１０２に押し付けることにより発生する真空断熱板１０２からの押圧力により、閉塞板１１１が変形したり逃げたりすることを防止できる。このため、背面部１１０は、隙間が生じることなく真空断熱材１０２により確実に断熱することができる。
【００５３】
図１６に示す実施形態では、真空断熱材１０２は背面部１１０において交換が容易に行える。そして、真空断熱材１０２は背面部１１０の凹部１０３内にはめ込んで固定でき、真空断熱材１０２に対する外部からの直接衝撃の印加を防止できる。
【００５４】
図１７は、本発明のさらに別の実施形態の冷蔵庫１Ｃの背面部を示す斜視図である。
【００５５】
図１７に示す冷蔵庫１Ｃの背面部１２０の構造は、図１５に示す冷蔵庫１Ａの背面部１００の構造と実質的には、ほぼ同じであるので、対応する箇所には同じ符号を記してその説明を省略する。
【００５６】
図１７に示す冷蔵庫１Ｃの背面部１２０の構造が、図１５に示す冷蔵庫１Ａの背面部１００の構造とは異なるのは、凹部１０３の構造と閉塞板１２１の構造である。閉塞板１２１には、例えば２つの凹形状部分１２５が設けられている。これらの凹形状部分１２５は、円形状の凹部であり、中央部には固定ねじ１０５を通すための穴部１２７が設けられている。
【００５７】
一方、背面部１２０の凹部１０３には、２つの凸形状部分１２６が設けられている。これらの凸形状部分１２６は、円形状の凸部であり、閉塞板１２１の凹形状部分１２５に対応した位置にある。凸形状部分１２６に中央部には、固定ねじ１０５をねじ込むためのナット部１２８が設けられている。凸形状部分１２６の直径と閉塞板１２１の凹形状部分１２５の直径は、好ましくは同じである。
【００５８】
これにより、締結部材としての固定ねじ１０５は、閉塞板１２１の各穴部１０４と、閉塞板１２１の凹形状部分１２５の穴部１２９にそれぞれ固定ねじ１０５を通して、凹部１０３のナット部１０６とナット部１２８にそれぞれねじ込むことで、閉塞板１２１は、真空断熱材１０２を、背面部１２０の凹部１０３内にはめ込んだ状態で押圧して、安定して固定することができる。
【００５９】
このように固定ねじ１０５を用いるので、閉塞板１２１を真空断熱板１０２に押し付けることにより発生する真空断熱板１０２からの押圧力により、閉塞板１２１が変形したり逃げたりすることを防止することができる。
【００６０】
しかも、閉塞板１２１の２つの凹形状部分１２５を、背面部１１０の凹部１０３の２つの凸形状部分１２７にそれぞれ突き当てた状態で、閉塞板１２１は背面部１１０側に固定ねじ１０５により固定することができるので、閉塞板１２１の固定時の面圧を安定させることができ、閉塞板１２１の固定状態を安定できる。
【００６１】
図１７に示す実施形態では、真空断熱材１０２は背面部１２０において交換が容易に行える。そして、真空断熱材１０２は背面部１２０の凹部１０３内にはめ込んで固定でき、真空断熱材１０２に対する外部からの直接衝撃の印加を防止できる。
【００６２】
図１８は、図１５において矢印Ｃ−Ｃで示す方向に冷蔵庫１Ａを切断して示す縦断面図である。
【００６３】
図１８に示すように、冷蔵庫１Ａの背面部１００の凹部１０３が設けられており、この凹部１０３には、真空断熱材１０２がはめ込まれている。真空断熱材１０２は、図１９に示すような平板状の長方形の部材である。閉塞板１０１は、真空断熱板１０２に押し付けるようにして固定ねじ１０５により背面部１００に固定されている。冷蔵庫１Ａの背面部１００に下部には、発泡ウレタン断熱材１３０が配置されている。この閉塞板１０１に代えて、図１６に示す閉塞板１１１を用いても良い。
【００６４】
図２０は、冷蔵庫１Ｄを切断して示す縦断面図である。
【００６５】
図２０に示すように、冷蔵庫１Ｄの背面部１１０の凹部１０３が設けられており、この凹部１０３には、真空断熱材１３２がはめ込まれている。そして、閉塞板１２１は、真空断熱板１３２を背面部１１０に押し付けるようにして固定ねじ１０５により背面部１１０に固定されている。冷蔵庫１Ｄの背面部１００に下部には、発泡ウレタン断熱材１３０が配置されている。
【００６６】
この真空断熱材１３２は、図２１に示すように例えば円形の２つの貫通穴１４０を有している。図２０に示すように、これらの貫通穴１４０は、閉塞板１２１の凹形状部分１２５の内側の凸部分１２５Ｔをはめ込むことで収容することができる。このように、真空断熱材１３２には貫通穴１４０を設けることにより、閉塞板１２１の凹形状部分１２５の内側の凸部分１２５Ｔが真空断熱材１３２に当たってしまうことが無い。このため、真空断熱材１３２と閉塞板１２１が干渉したり、逃げる部分が生じることを避けることができ、閉塞板１２１は、真空断熱材１３２に対して、面圧を安定させた状態で、密着して安定して固定することができる。
【００６７】
図２０に示すように、この真空断熱材１３２は、グラスウールのような断熱性の板状の芯材１５０と、芯材１５０を覆う被覆材であるラミネートフィルム１５１から構成されている。しかも、ラミネートフィルム１５１は、溶着することで溶着部１５２を有している。この溶着部１５２は、真空断熱材１３２の貫通穴１４０の内壁部分１４１を覆っている。これにより、真空断熱材１３２の貫通穴１４０の内壁部分１４１は、被覆材であるラミネートフィルム１５１の溶着部１５２により覆われているので、芯材１５０が露出しないように真空断熱材１３２の貫通穴１４０の内壁部分１４１を保護でき、しかも芯材１５０が固定ねじ１０５と直接接触することが無いので、固定ねじ１０５により芯材１５０が傷つけられることが無い。
【００６８】
締結部品である固定ねじ１０５は、閉塞板１２１の凹形状部分１２５の穴部１２９と、真空断熱材１３２の貫通穴１４０を通って、背面部１１０のナット部１０６にねじ込まれる。これにより、閉塞板１２１は、真空断熱材１３２を、背面部１１０側に押し付けて固定することができる。このように固定ねじ１０５を用いるので、閉塞板１２１が真空断熱板１３２に押し付けられることにより発生する真空断熱板１３２からの押圧力により、閉塞板１２１が変形したり逃げたりすることを防止することができる。
【００６９】
図２０に示す実施形態では、真空断熱材１３２は背面部１１０において交換が容易に行える。そして、真空断熱材１３２は背面部１１０の凹部１０３内にはめ込んで固定でき、真空断熱材１３２に対する外部からの直接衝撃の印加を防止できる。
【００７０】
図２２は、本発明の別の実施形態の冷蔵庫を示す斜視図である。図２２に示す冷蔵庫１Ａでは、冷蔵室５に前扉５Ａ、５Ｂが設けられている。図２２に示す冷蔵庫１Ａは、全体が箱型で前部が開放した外箱と内箱を重ねた間に断熱材を挟んで形成される筺体３で構成されている。
【００７１】
なお、この最上部の冷蔵室５の直下には製氷室７および上部冷凍室９が横に並んで設けられ、これら製氷室７と上部冷凍室９の直下の最下部には冷凍室１１が設けられている。また、製氷室７および上部冷凍室９は、それぞれ引出し式扉７ａおよび９ａで前面側が覆われ、また冷凍室１１も引出し式扉１１ａで前面側が覆われ、これらの引出し式扉７ａ、９ａおよび１１ａをそれぞれ前方に引き出すことにより、製氷室７、上部冷凍室９および冷凍室１１が外部に取り出されるようになっている。
【００７２】
図２３は、図２２に示す冷蔵庫１Ａの背面部１００側を示す斜視図である。図２４は、図２３の冷蔵庫１Ａの背面部１００から、後ろ板３０１を外した状態を示す斜視図である。図２５は、図２４の圧縮機格納室３１０から、圧縮機台３０５を外した状態を示す斜視図である。
【００７３】
図２３から図２４に示すように、後ろ板３０１が、冷蔵庫１Ａの背面部１００の下部３０２から取り外されており、図２４に示すように、下部３０２には、圧縮機格納室３１０が設けられている。この圧縮機格納室３１０には、圧縮機３０４と圧縮機台３０５が配置されている。図２４から図２５に示すように、図２４の圧縮機格納室３１０から、圧縮機台３０５が取り外されている。
【００７４】
図２６は、図２５の冷蔵庫１Ａの背面部１００の下部３０２から、真空断熱材３０６と、閉鎖板３０７が取り外された状態を示す斜視図である。図２７は、図２６に示す冷蔵庫１ＡにおけるＤ−Ｄ線における縦断面図である。
【００７５】
図２６と図２７に示すように、背面部１００には、凹形状部分１０９が形成されている。真空断熱材３０６は、冷蔵庫の圧縮機格納室３１０を断熱するために、背面部１００の凹形状部分１０９にはめ込まれて配置されている。
【００７６】
蓋部材である閉塞板３０７は、例えば金属製の長方形状の板部材である。閉塞板３０７のサイズは真空断熱材３０６のサイズよりも大きい。閉塞板３０７は、圧縮機格納室３１０の形状に合わせて、例えば複数箇所で折り曲げて形成されており、第１面部３０７Ａと、第２面部３０７Ｂと、第３面部３０７Ｃを有している。第１面部３０７Ａは、冷蔵庫１Ａの上下方向に沿って形成された垂直面である。第２面部３０７Ｂは、第１面部３０７Ａから連続しており、冷蔵庫１Ａの水平面に平行である。そして、図２７に示すように、第３面部３０７Ｃは、第２面部３０７Ｂに対して、所定の角度θにより冷蔵庫１Ａの前側に向けて傾斜して形成されている。
【００７７】
これに対して、真空断熱材３０６は、第１部分３０６Ａと、第２部分３０６Ｂと、第３部分３０６Ｃを有している。第１部分３０６Ａは、閉塞板３０７の第１面部３０７Ａの形状に対応して形成され、第２部分３０６Ｂは、閉塞板３０７の第２面部３０７Ｂの形状に対応して形成されている。そして、第３部分３０６Ｃは、閉塞板３０７の第１面部３０７Ｃの形状に対応して形成されている。すなわち、第１部分３０６Ａは、冷蔵庫１Ａの上下方向に沿って形成された垂直面である。第２部分３０６Ｂは、第１部分３０６Ａから連続しており、冷蔵庫１Ａの水平面に平行である。そして、図２７に示すように、第３部分３０６Ｃは、第２部分３０６Ｂに対して、所定の角度θにより冷蔵庫１Ａの前側に向けて傾斜して形成されている。
【００７８】
図２６と図２７に示すように、背面部１００の凹形状部分１０９は、圧縮機格納室３１０の前側部分と上側部分に対応する位置に形成されている。図２６に示すように、凹形状部分１０９は、第１凹部分１０９Ａと、第２凹部分１０９Ｂと、第３凹部分１０９Ｃを有している。図２７に示すように、第１凹部分１０９Ａは、真空断熱材３０６の第１部分３０６Ａを収容し、第２凹部分１０９Ｂは、真空断熱材３０６の第２部分３０６Ｂを収容する。そして、第３凹部分１０９Ｃは、真空断熱材３０６の第３部分３０６Ｃを収容するようになっている。真空断熱材３０６は、冷蔵庫の側方から凹形状部分１０９内に挿入して配置することができる。
【００７９】
図２６と図２７に示すように、閉塞板３０７の隅部の複数箇所には、穴部３１２が設けられている。背面部１００には、ナット部１１３が、凹形状部分１０９の周囲の複数箇所に設けられている。締結部品としての固定ねじ３０８は、これらの穴部３１２に通して、ナット部１１３にねじ込むことで、閉塞板３０７は、真空断熱材３０６を上から覆うようにして、圧縮機格納室３１０の上部の位置にある凹形状部分１０９内に、冷蔵庫の後方からはめ込んだ状態で固定することができる。これにより、圧縮機格納室３１０の前側部分と上側部分は、真空断熱材３０６により覆って断熱することができる。しかも、閉塞板３０７のサイズは真空断熱材３０６のサイズよりも大きいので、固定ねじ３０８は真空断熱材３０６には固定ねじを通すための穴を設ける必要がない。
【００８０】
この真空断熱材３０６は、例えばグラスウールの板状の芯材をラミネートフィルムのような被覆材で包んで、この内部を真空の多孔質構造に形成することで、高い真空空間率（例えば９０％を超える）を保持している。このため、この真空断熱材３０６は、真空による高い断熱性能を発揮することができる。真空断熱材３０６の断熱性能は、発泡ポリウレタン材の断熱性能に比べてかなり高い。このため、厚みの薄い真空断熱材３０６を用いても、真空断熱材３０６は、圧縮機格納室３１０の前側部分と上側部分において、動作時に発生する圧縮機３０４の熱を、断熱することができる。
【００８１】
図２６に示すように、真空断熱材３０６は、閉鎖板３０７を複数本の固定ねじ３０８を用いて固定する。これにより、冷蔵庫を組み立てる際に真空断熱材３０６を取付ける作業が容易になる。また、真空断熱材３０６が経年変化したり、真空断熱材３０６の所定の交換時期に達した場合に、真空断熱材３０６を取り外して新たな真空断熱材３０６に交換する作業が容易になる。
【００８２】
また、閉鎖板３０７が、真空断熱材３０６を覆って、そして固定ねじ３０８により締結する構造であるので、外的衝撃が真空断熱材３０６に直接印加するのを防止できる。
【００８３】
図２７に示すように、背面部１００では、真空断熱材３０６の上部の領域に、発泡ウレタン断熱材３１１が配置されている。
【００８４】
また、図２５から図２６に示すように、複数本の固定ねじ３０８を取り外すことにより、背面部１００から、真空断熱材３０６と、閉鎖板３０７を取り外すことができる。これにより、真空断熱材３０６の交換が可能になる。
【００８５】
次に、本発明のさらに別の実施形態の冷蔵庫を説明する。
【００８６】
図２８は、本発明のさらに別の実施形態の冷蔵庫１Ｂを示し、側壁部３ｂから閉塞板３４０が取り外された状態を示す斜視図である。図２９は、図２８に示す冷蔵庫１Ｂの背面部１００側を示し、閉塞板３４０と２枚の真空断熱材３５１，３５２が取り外された状態を示す斜視図である。図３０は、図２８の冷蔵庫１ＢにおけるＥ−Ｅ線での縦断面を示す図である。
【００８７】
なお、図２８から図３０に示す冷蔵庫１Ｂが、図３１に示す冷蔵庫１Ａと同様の箇所には、同じ符号を記してその説明を省略する。
【００８８】
図２８と図２９に示すように、冷蔵庫１Ｄの側壁部３ｂには、長方形の凹部１６０が形成されている。この凹部１６０は、側面板あるいは蓋部材である長方形の閉塞板３４０により閉塞可能になっている。この閉塞板３４０は例えば金属製の板であり、閉塞板３４０の隅部の複数箇所には、穴部３１２が設けられている。一方、図２８と図２９に示すように、側壁部３ｂの凹部１６０には、複数箇所にナット部１６３が設けられている。
【００８９】
図２９と図３０に示すように、圧縮機格納室３１０には、圧縮機３０４が格納されている。この圧縮機格納室３１０には、２つの袋状の凹部１７１，１７２が設けられている。２つの袋状の凹部１７１，１７２は、冷蔵庫１Ｄの幅方向に沿って形成されている。
【００９０】
図３０に示すように、一方の袋状の凹部１７１は、圧縮機格納室３１０の上部に配置され、他方の袋状の凹部１７２は、圧縮機格納室３１０の前側に傾斜して配置されている。これらの袋状の凹部１７１，１７２には、それぞれ真空断熱材３５１，３５２が着脱可能に挿入されて保持される。図２９に示すように、挿入用開口部１７１Ｐ、１７２Ｐは、真空断熱材３５１，３５２を挿入するために、凹部１６０に設けられている。
【００９１】
図２９に示す真空断熱材３５１，３５２が、挿入用開口部１７１Ｐ、１７２Ｐから、図３０に示すように凹部１７１，１７２にそれぞれ挿入される。そして、図２９に示す締結部品としての固定ねじ３０８は、閉塞板３４０の穴部３１２に通して、ナット部１６３に
ねじ込むことで、閉塞板３４０は、２枚の真空断熱材３５１，３５２を、圧縮機格納室３１０の上部の位置と前側の位置にそれぞれ固定することができる。これにより、圧縮機格納室３１０の上側部分と前側部分は、２枚の真空断熱材３５１，３５２により覆うことで、動作時に発生する圧縮機３０４の熱を、断熱することができる。
【００９２】
冷蔵庫を組み立てる際に真空断熱材３５１，３５２を取付ける作業が容易になる。また、真空断熱材３５１，３５２が経年変化したり、真空断熱材３５１，３５２の所定の交換時期に達した場合に真空断熱材３５１，３５２を取り外して新たな真空断熱材３５１，３５２に交換する作業が容易になる。
【００９３】
図３１は、本発明のさらに別の実施形態を示している。図３１に示す冷蔵庫１Ｅが、図３０に示す冷蔵庫１Ｄと同様の箇所には、同じ符号を記してその説明を省略する。
【００９４】
図３１に示す冷蔵庫１Ｃが図３０に示す冷蔵庫１Ｄと異なるのは、１つの袋状の凹部１９１の形状と、この袋状の凹部１９１内に収容される１つの真空断熱材１８１の形状である。
【００９５】
袋状の凹部１９１は、圧縮機格納室３１０の形状に合わせて、上部部分１９２と前側部分１９３を有し、ほぼＬ字型を有している。上部部分１９２は、冷蔵庫１Ｃの前後方向に平行であるが、前側部分１９３は、冷蔵庫の上下方向に対して傾斜している。
【００９６】
これに対して、真空断熱材１８１は、凹凸状の形状、例えばほぼＬ型であり、上部１８２と、前部１８３を有している。真空断熱材１８１は、袋状の凹部１９１にはめ込んで保持され、上部１８２は、上部部分１９２にはめ込んで保持され、前部１８３は、前側部分１９３にはめ込んで保持されている。
【００９７】
このように、真空断熱材１８１を断熱に用いた冷蔵庫１Ｃは、圧縮機格納室３１０の周囲に真空断熱材１８１を収容可能な大きさで形成される凹部１９１と、この凹部１９１内に収容した凹凸状の真空断熱材１８１を凹部１９１内に閉塞する閉塞板（図２９に示す閉塞板３４０と同様）と、を有している。
【００９８】
これにより、１つの袋状の凹部１９１の形状と１つの真空断熱材１８１の形状を採用することで、部品点数を減らすことができる。そして、冷蔵庫を組み立てる際に真空断熱材１８１を取付ける作業が容易になる。また、真空断熱材１８１が経年変化したり、真空断熱材１８１の所定の交換時期に達した場合に真空断熱材１８１を取り外して新たな真空断熱材１８１に交換する作業が容易になる。
【００９９】
上述した本発明の各実施形態の冷蔵庫では、真空断熱材を容易に交換することができる。このため、冷蔵庫の製造時に取扱い等で真空断熱材の表面に傷がついてしまう等、真空断熱材が破損した場合には、真空断熱材を容易に交換できる。このため、冷蔵庫の生産性を向上できる。また、冷蔵庫の使用時に、真空断熱材が経時劣化した場合でも、真空断熱材を容易に交換することができる。これにより、冷蔵庫の冷却性能を維持し、回復し、改善することができ、冷蔵庫の寿命が伸ばせる。また、閉塞板が真空断熱材を覆って閉塞板が締結部品により固定されているので、真空断熱材に対する外部からの直接衝撃の印加を防止することができる。
【０１００】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０１】
１、１０、１１１  冷蔵庫
３  筺体
３ａ  右側の側壁部
３ｂ  左側の側壁部
５  冷蔵室
７  製氷室
９  上部冷凍室
１１  冷凍室
１３  外板
１５  真空断熱材
１７  庫内パネル
１９  固定ねじ
２１  隙間
２３  固定フック
２５  凹部
２７  真空断熱材
２９  外壁パネル
３１  外板
３３  固定ねじ
４１  底板
４３  真空断熱材
４５  閉塞板
４７  引掛け受部
４９  ねじ
５１  高温収納物
５３  冷蔵室収納物
１０１  閉塞板
１０２  真空断熱材
１０３  凹部
１０５  固定ねじ（締結部品）
１１０  背面部
１１１  閉塞板
１１８  補強用の凹凸形状部分
１２１  閉塞板
１２５  閉塞板の凹形状部分
１３２  真空断熱材
１４０  真空断熱材の貫通穴
１５０  真空断熱材の芯材
１５１  真空断熱材のラミネートフィルム（被覆材）
１５２  溶着部
１０９  凹形状部分
３０１  後ろ板
３０４  圧縮機
３０６  真空断熱材
３０７  閉鎖板
３１０  圧縮機格納室
３４０  閉鎖板
３５１，３５２  真空断熱材
【図１】
2014029259.tif 000003
【図２】
2014029259.tif 000004
【図３】
2014029259.tif 000005
【図４】
2014029259.tif 000006
【図５】
2014029259.tif 000007
【図６】
2014029259.tif 000008
【図７】
2014029259.tif 000009
【図８】
2014029259.tif 000010
【図９】
2014029259.tif 000011
【図１０】
2014029259.tif 000012
【図１１】
2014029259.tif 000013
【図１２】
2014029259.tif 000014
【図１３】
2014029259.tif 000015
【図１４】
2014029259.tif 000016
【図１５】
2014029259.tif 000017
【図１６】
2014029259.tif 000018
【図１７】
2014029259.tif 000019
【図１８】
2014029259.tif 000020
【図１９】
2014029259.tif 000021
【図２０】
2014029259.tif 000022
【図２１】
2014029259.tif 000023
【図２２】
2014029259.tif 000024
【図２３】
2014029259.tif 000025
【図２４】
2014029259.tif 000026
【図２５】
2014029259.tif 000027
【図２６】
2014029259.tif 000028
【図２７】
2014029259.tif 000029
【図２８】
2014029259.tif 000030
【図２９】
2014029259.tif 000031
【図３０】
2014029259.tif 000032
【図３１】
2014029259.tif 000033